(57)【要約】【課題】スリーブが貫通孔から滑り落ちることを防止すること。【解決手段】長手方向に沿って二つに分割され、貫通孔２に挿入されていない状態で、その分割面７ｃの長手方向中央部が互いに離間するように反っているスリーブ７を用いるようにした。そのため、外形が真っ直ぐとなるようにスリーブ７を弾性変形させて貫通孔に挿入することで、スリーブ７が反った状態に戻ろうとする力によってスリーブ７の外面に貫通孔の内面を押す力を発生させ、スリーブ７と貫通孔との間に生じる摩擦力を増大することができ、その結果、スリーブ７が貫通孔から滑り落ちることを防止できる。【選択図】  図２
2007309365.tif 000002
【特許請求の範囲】
【請求項１】
案内レールの長手方向に沿ってスライダ本体に形成された貫通孔に挿入され、且つ、転動体を循環させるための転動体循環路を内部に有するスリーブを備えた直動案内装置であって、
前記スリーブは、前記貫通孔に挿入されていない状態で反っていることを特徴とする直動案内装置。
【請求項２】
前記スリーブは、長手方向に沿って二つに分割され、前記貫通孔に挿入されていない状態で、その分割面が互いに離間するように反っていることを特徴とする請求項１に記載の直動案内装置。
【請求項３】
前記スリーブは、前記貫通孔に挿入されていない状態で、前記分割面の長手方向中央部が互いに離間するように反っていることを特徴とする請求項２に記載の直動案内装置。
【請求項４】
前記スリーブは、前記貫通孔に挿入されていない状態で、前記分割面の幅方向端部が互いに離間するように反っていることを特徴とする請求項２に記載の直動案内装置。
【請求項５】
前記スリーブは、前記貫通孔に挿入されていない状態で、前記転動体循環路の転動体転送面中央部にスリットを有し、そのスリットの端部間が互いに離間するように反っていることを特徴とする請求項１に記載の直動案内装置。
【発明の詳細な説明】
【技術分野】
【０００１】
本発明は、案内レールの長手方向に沿ってスライダ本体に形成された貫通孔に挿入され、且つ、転動体を循環させるための転動体循環路を内部に有するスリーブを備えた直動案内装置に関する。
【背景技術】
【０００２】
従来、この種の直動案内装置としては、スライダと、案内レールとを備えており、スライダは、略コ字状の端面を前後方向に有するスライダ本体と、そのスライダ本体の端面を覆う一対のエンドキャップとを含んで構成されているものがある（特許文献１参照）。
このような直動案内装置にあっては、スライダ本体は、案内レールの両側にブロック状の袖部を有しており、各袖部には二つの貫通孔が案内レールの長手方向に沿って形成されている。これらの貫通孔には合成樹脂からなるスリーブが挿入されており、スリーブ内に形成された断面矩形の転動体循環路を使って転動体が循環するようになっている。
【特許文献１】特開２００５−２０１３６１号公報
【発明の開示】
【発明が解決しようとする課題】
【０００３】
しかしながら、上記従来の直動案内装置にあっては、例えば、スリーブがまっすぐに形成されていると、直動案内装置の組立時に貫通孔が鉛直方向に向けられた場合、スリーブが貫通孔から自重で滑り落ちてしまい、組み立てに手間を要するという問題があった。
本発明は、上記従来の直動案内装置の未解決の問題点を解決することを課題とするものであって、スリーブの滑り落ちを防止可能な直動案内装置を提供することを課題とする。
【課題を解決するための手段】
【０００４】
上記課題を解決するために、本発明の直動案内装置は、案内レールの長手方向に沿ってスライダ本体に形成された貫通孔に挿入され、且つ、転動体を循環させるための転動体循環路を内部に有するスリーブを備えた直動案内装置であって、前記スリーブは、前記貫通孔に挿入されていない状態で反っていることを特徴とする。
また、前記スリーブは、長手方向に沿って二つに分割され、前記貫通孔に挿入されていない状態で、その分割面が互いに離間するように反っていもよい。
【０００５】
さらに、前記スリーブは、前記貫通孔に挿入されていない状態で、前記分割面の長手方向中央部が互いに離間するように反っていてもよい。
また、前記スリーブは、前記貫通孔に挿入されていない状態で、前記分割面の幅方向端部が互いに離間するように反っていてもよい。
さらに、前記スリーブは、前記貫通孔に挿入されていない状態で、前記転動体循環路の転動体転送面中央部にスリットを有し、そのスリットの端部間が互いに離間するように反っていてもよい。
【０００６】
このような構成によれば、外形が真っ直ぐとなるようにスリーブを弾性変形させて貫通孔に挿入することで、スリーブが反った状態に戻ろうとする力によってスリーブの外面に貫通孔の内面を押す力を発生させ、スリーブと貫通孔との間に生じる摩擦力を増大することができ、その結果、スリーブが貫通孔から滑り落ちることを防止することができる。
【発明を実施するための最良の形態】
【０００７】
以下、本発明の直動案内装置の一実施形態を図面に基づいて説明する。
図１は、本実施形態の直動案内装置の構成を示す正面図である。この図１に示すように、直動案内装置１は、スライダ２と、案内レール３とを含んで構成される。
スライダ２は、略コ字状の端面を前後方向に有するスライダ本体と、そのスライダ本体の端面を覆う一対のエンドキャップ（不図示）とを含んで構成される。
【０００８】
スライダ本体の内側面は案内レール３の側面と対向しており、案内レールの側面には、転動体軌道面４が二条ずつ形成されている。これらの転動体軌道面４はスライダ本体の内側側面に形成された転動体軌道面５と各々が対向しており、転動体軌道面４と転動体軌道面５との間には複数の円筒ころ６が配されている。
円筒ころ６はスライダ２が案内レール３の長手方向に相対移動すると転動体軌道面４、５を転動するようになっており、エンドキャップには、転動体軌道面４、５を転動した円筒ころ６を方向転換させるための方向転換路が形成されている。
【０００９】
スライダ本体は、案内レール３の両側にブロック状の袖部２ａを有しており、各袖部に２ａは二つの貫通孔２ｂが案内レール３の長手方向に沿って形成されている。これらの貫通孔２ｂには合成樹脂からなるスリーブ７が挿入されており、スリーブ７内に形成された断面矩形の転動体循環路７ａを使って円筒ころ６が循環するようになっている。
スリーブ７は、図２に示すように、円筒ころ転送面７ｂの中央部で長手方向に沿って二つに分割され、案内レール３の貫通孔２ｂに挿入されていない状態で、その分割面７ｃの長手方向中央部が互いに離間するように反っている。
【００１０】
このように、本実施形態の直動案内装置１にあっては、長手方向に沿って二つに分割され、貫通孔２ｂに挿入されていない状態で、その分割面７ｃの長手方向中央部が互いに離間するように反っているスリーブ７を用いるようにした。そのため、図３に示すように、外形が真っ直ぐとなるようにスリーブ７を弾性変形させて貫通孔に挿入することで、スリーブ７が反った状態に戻ろうとする力によってスリーブ７の外面に貫通孔の内面を押す力を発生させ、スリーブ７と貫通孔２ｂとの間に生じる摩擦力を増大することができる。その結果、スリーブ７が貫通孔２ｂから滑り落ちることを防止することができ、直動案内装置１の組立性が向上し、生産コストを削減することができる。
なお、本発明のリニアガイドは、上記実施の形態の内容に限定されるものではなく、本発明の趣旨を逸脱しない範囲で適宜変更可能である。
【００１１】
上記実施形態では、転動体として円筒ころ６を用いる例を示したが、これに限られるものではない。例えば、図４に示すように、球形のものを用いてもよい。
また、貫通孔２ｂに挿入されていない状態で、分割面７ｃの長手方向中央部が互いに離間するように反っているスリーブ７を用いる例を示したが、これに限られるものではない。例えば、図５に示すように、貫通孔２に挿入されていない状態で、分割面７ｃの幅方向端部が互いに離間するように反っているスリーブ７を用いてもよい。
さらに、図６に示すように、貫通孔２に挿入されていない状態で、転動体循環路７ａの転動体転送面７ｂ中央部にスリットを有し、そのスリットの端部７ｄ間が互いに離間するように反っているスリーブ７を用いてもよい。
【図面の簡単な説明】
【００１２】
【図１】本発明の直動案内装置の一実施形態の構成を示す斜視図である。
【図２】図１のスリーブを拡大して示す斜視図である。
【図３】組み立て時におけるスリーブの取り扱い方法を示す斜視図である。
【図４】スリーブの変形例を説明するための説明図である。
【図５】スリーブの変形例を説明するための説明図である。
【図６】スリーブの変形例を説明するための説明図である。
【符号の説明】
【００１３】
１は直動案内装置、２はスライダ、２ａは袖部、２ｂは貫通孔、３は案内レール、４は転動体軌道面、５は転動体軌道面、６は円筒ころ、７はスリーブ、７ａは転動体循環路、７ｂは円筒ころ転送面、７ｃは分割面、７ｄは端部
【図１】
2007309365.tif 000003
【図２】
2007309365.tif 000004
【図３】
2007309365.tif 000005
【図４】
2007309365.tif 000006
【図５】
2007309365.tif 000007
【図６】
2007309365.tif 000008